(57)【特許請求の範囲】
【請求項１】
前面に開口が形成されている陳列室と、
前記陳列室に配設されているとともに、上面の傾斜角度が変更可能な陳列棚と、
この陳列棚上に配設されている棚仕切り板とを備え、
この棚仕切り板は、前端部を保持する前側保持部材と後端部を保持する後側保持部材とで支持されており、
前記前側保持部材は、陳列棚の前端部に着脱自在に固定され、
前記後側保持部材は、陳列室の背面板に着脱自在に固定されていることを特徴とするショーケース。
【請求項２】
前記後側保持部材は、磁石またはこの磁石に吸着される磁性体の一方を具備しており、
前記棚仕切り板は、磁石または磁性体の他方を具備し、棚仕切り板がこの磁石および磁性体により後側保持部材に保持されていることを特徴とする請求項１記載のショーケース。
【発明の詳細な説明】
【０００１】
【発明の属する技術分野】
本発明は、陳列棚の上方が棚仕切り板で仕切られているショーケースに関する。
【０００２】
【従来の技術】
この種の従来のショーケースは、たとえば特開平７−２３１８３７号公報（Ａ４７Ｆ５／００）などに記載されている。この従来のショーケースの陳列棚について図１１を用いて説明する。図１１は従来の陳列棚の要部斜視図である。
【０００３】
陳列棚０１の棚板０２上には、仕切部材である棚仕切り０３が載置され、この棚仕切り０３が陳列棚０１を左右に仕切っている。棚仕切り０３は断面Ｌ字状をしており、棚板０２の上面に当接する台座部０３ａと、この台座部０３ａの端部から略垂直に立ち上がっている略長方形の仕切部０３ｂとからなっている。そして、仕切部０３ｂの転倒は、台座部０３ａにより防止されている。
【０００４】
【発明が解決しようとする課題】
ところで、弁当や牛乳パックなどの商品０６が、棚仕切り０３の台座部０３ａに載ると、商品０６が傾き、見栄えが悪くなり、陳列効果が減退する。また、台座部０３ａを避けて、商品０６を陳列すると、商品０６を載置できる面積が減少し、陳列できる商品０６の数量が減少する。
【０００５】
さらに、棚仕切り０３は固定されておらず、商品０６を陳列棚０１に陳列する際や、商品０６を陳列棚０１から取り出す際に、棚仕切り０３の位置がズレ、商品０６の陳列位置が移動することがある。
【０００６】
本発明は、以上のような課題を解決するためのもので、陳列棚の仕切部材が商品の陳列の妨げになることが少ないショーケースを提供することを目的としている。
【０００７】
【課題を解決するための手段】
本発明のショーケース（１）は、前面に開口（２）が形成されている陳列室（１８）と、陳列室に配設されているとともに、上面の傾斜角度が変更可能な陳列棚（２１）と、陳列棚上に設けられている棚仕切り板（４６）とを備えている。
【０００８】
そして、棚仕切り板は、前端部を保持する前側保持部材（６１）と後端部を保持する後側保持部材（７１）とで支持されており、かつ、前側保持部材が、陳列棚の前端部に着脱自在に固定されているとともに、後側保持部材が、陳列室の背面板（１４）に着脱自在に固定されている。
【０００９】
【００１０】
【００１１】
また、後側保持部材が、磁石（８７）またはこの磁石に吸着される磁性体（８６）の一方を具備し、かつ、棚仕切り板が、磁石または磁性体の他方を具備しており、そして、棚仕切り板がこの磁石および磁性体により後側保持部材に保持されている場合がある。
【００１２】
【発明の実施の形態】
次に、本発明におけるショーケースの実施の第１の形態を図１ないし図４を用いて説明する。図１は実施の第１の形態のショーケースの断面図である。図２は陳列棚および棚仕切り板の説明図で、（ａ）が陳列棚の平面図で、（ｂ）が棚仕切り板の側面図である。図３は陳列棚の側面図である。図４は図３の要部断面図で、（ａ）が図３の A-A断面図、（ｂ）が図３の B-B断面図である。
【００１３】
ショーケースとしての低温オープンショーケース１の前面には商品収納および取り出し用開口２が形成され、また、その下部には冷凍サイクルを構成する圧縮機や凝縮器（図示しない）などが設けられている機械室３が配置されている。そして、ショーケース１の前壁７、上壁８、後壁９および、機械室３との隔壁である底壁１０は、発泡合成樹脂たとえば硬質の発泡ポリウレタンなどからなる断熱材１１で構成されている。
【００１４】
この断熱材１１の内面より適当な間隔を有して、塗装鋼板やステンレスなどの磁性材である金属板からなる区画天板１３、区画壁板１４および区画床板１５が配設されている。これら区画天板１３、区画壁板１４および区画床板１５と断熱材１１との間の空間が冷気流路１６となり、この冷気流路１６に冷却器１７が設けられている。そして、区画天板１３、区画壁板１４および区画床板１５で囲まれた空間が、貯蔵室としての陳列室１８となる。この陳列室１８には、詳細は後述する商品陳列棚２１が左右一対の支持ブラケット２２に支持されて、多段に配置されている。
【００１５】
支持ブラケット２２は、背面板である区画壁板１４に設けられている支柱（図示しない）に着脱自在に取り付けられ、支持ブラケット２２の上下位置および取り付け角度は変更可能である。そして、支持ブラケット２２の取り付け角度を変更することにより、商品陳列棚２１の上面は、傾斜角度を多段に変更することができる。この実施の形態においては、３段に変更することができ、第１傾斜は、図１において上から３段目に図示され、傾斜角度が略０°すなわち略水平である。第２傾斜は、図１において上から２段目に図示され、前側に行くほど下側に傾斜し、水平面とのなす角度は約８°である。第３傾斜は最大傾斜角度であり、図１において最上段に図示され、前側に行くほど下側に傾斜し、水平面とのなす角度は約１５°である。なお、第１傾斜ないし第３傾斜の状態変化が分かるように、図１の最下段の商品陳列棚２１は、第１傾斜、第２傾斜および第３傾斜の状態を全て重ねて図示してある。
【００１６】
そして、冷却器１７で冷却された空気は、図１に図示する矢印の方向に、送風機２３で送風され、冷気吐出口２４から陳列室１８内に吐出する。この冷気吐出口２４から吐出した冷気は、陳列室１８の前面すなわち商品収納および取り出し用開口２においてエアーカーテン２６を形成するとともに陳列室１８内を冷却し、区画床板１５の前方に形成された吸い込み口２７から冷気流路１６内に吸い込まれ、冷却器１７に戻ってくる。この様にして、空気を循環しながら、陳列室１８を冷却している。
【００１７】
ついで、陳列棚２１について説明する。載置板部としてのガラス板３１は略矩形であり、この透明板であるガラス板３１の４辺に沿って、ステンレスなどの磁性を有する金属製の枠材３３が左右前後に配置されている。この枠材３３とガラス板３１とで、陳列棚２１の棚板が構成されている。枠材３３は板金加工されており、上部にガラス板３１を支持する支持部３４が形成されている。この枠材３３の支持部３４に、ガラス板３１がパッキン３６を介して載せられている。
【００１８】
また、アルミなどの金属や、樹脂などからなる棚飾り３８が、前側の枠材３３に取り付けられている。この棚飾り３８の前面部３９は、前側の枠材３３の前面との間に隙間を有して配置されており、その隙間に棚ガード４１が嵌め込まれている。そして、前側の枠材３３の上面には、左右一対で一組のガイド孔４４が、適当な間隔たとえば約３０cm間隔で数組形成されている。
【００１９】
この様に構成されている商品陳列棚２１の上面に、仕切り部材としての棚仕切り板４６が略垂直に立設して着脱自在に取り付けられている。この棚仕切り板４６は、たとえばガラス板などの透明板などの平板状の板材からなり、図２（ｂ）に図示するように、略四角形をしており、上辺５１と下辺５２とは略平行であり、かつ、各角部は丸められている。
【００２０】
そして、棚仕切り板４６の前辺５３と下辺５２とのなす角度ａは約７５°の鋭角で、９０°−最大傾斜角度（約１５°）に設定されている。前辺５３と上辺５１とのなす角度ｂは約１０５°の鈍角で、９０°＋最大傾斜角度（約１５°）に設定されている。後辺５４と上辺５１とのなす角度ｃは約８２°の鋭角で、９０°−第２傾斜角度（約８°）に設定されている。後辺５４と下辺５２とのなす角度ｄは約９８°の鈍角で、９０°＋第２傾斜角度（約８°）に設定されている。
【００２１】
この棚仕切り板４６の前端部は、前側保持部材である前側固定ガイド６１で挟持されて保持されている。この前側固定ガイド６１は、左右一対の前ガイド片６２から構成されている。各前ガイド片６２は、ステンレスなどの磁性を有する金属板を板金加工して製作され、略Ｌ字状をしており、前側の枠材３３に取り付けられる取り付け部６２ａと、この取り付け部６２ａから略垂直に立ち上がっている支持部６２ｂとからなっている。この取り付け部６２ａの取り付け面側には係合ピン６２ｃが突出して形成されている。
【００２２】
この前ガイド片６２の取り付け部６２ａに磁石シート６４を取り付けて、係合ピン６２ｃを、前側の枠材３３のガイド孔４４に嵌め込む。すると、磁石シート６４が前側の枠材３３に磁気吸着し、各前ガイド片６２は枠材３３に着脱自在に固定される。この様にして、棚仕切り板４６の前端部の左右両側に、前ガイド片６２の支持部６２ｂを当接して、棚仕切り板４６の前端部を保持する。
【００２３】
また、棚仕切り板４６の後端部は、後側保持部材である後側固定ガイド７１で挟持されて保持されている。この後側固定ガイド７１は、左右一対の後ガイド片７２から構成されている。各後ガイド片７２は、ステンレスなどの磁性を有する金属板を板金加工して製作され、略Ｌ字状をしており、区画壁板１４の前面に取り付けられる取り付け部７２ａと、この取り付け部７２ａから略直角に折れ曲がっている支持部７２ｂとからなっている。
【００２４】
この後ガイド片７２の取り付け部７２ａに磁石シート７４を取り付けて、この磁石シート７４で区画壁板１４に磁気吸着し、各後ガイド片７２は区画壁板１４に着脱自在に固定される。この様にして、棚仕切り板４６の後端部の左右両側に、後ガイド片７２の支持部７２ｂを当接して、棚仕切り板４６の後端部を保持する。そして、棚仕切り板４６は、その下辺５２が商品陳列棚２１の上面に載置され、棚仕切り板４６の上辺５１および下辺５２は、商品陳列棚２１の上面と略平行となる。
【００２５】
前述のように、実施の形態においては、商品陳列棚２１が第１傾斜（傾斜角度約０°）の時には、棚仕切り板４６の前辺５３は、水平面に対して約７５°の角度をなし、前辺５３の上端は前辺５３の下端よりも後方に位置している。また、商品陳列棚２１が第２傾斜（傾斜角度約８°）の時には、棚仕切り板４６の前辺５３は、水平面に対して約８３°の角度をなし、前辺５３の上端は前辺５３の下端よりも後方に位置している。さらに、商品陳列棚２１が第３傾斜（傾斜角度約１５°）の時には、棚仕切り板４６の前辺５３は、水平面に対して約９０°の角度をなし、前辺５３の上端は前辺５３の下端の略上方に位置している。したがって、商品陳列棚２１の何れの傾斜角度においても、棚仕切り板４６の前辺５３の上端が、前辺５３の下端よりも前方に突出することがなく、略垂直方向に形成されているエアーカーテン２６の流れの妨げになることが減少する。
【００２６】
また、一部の商品陳列棚２１を第３傾斜にし、他の商品陳列棚２１を第２傾斜にした際に、第２傾斜の商品陳列棚２１に取り付けられる棚仕切り板４６を、１８０°反転させて、すなわち角度ｃを角度ａの位置にすると、棚仕切り板４６の前側の辺が、全ての商品陳列棚２１において水平面に対して略垂直となる。したがって、見栄えが良好となる。この様に、棚仕切り板４６は、上辺と下辺とが略平行な四角形で、かつ、対向する２角が鋭角であり、この鋭角の一方が略９０°−最大傾斜角度に、また、他の鋭角を略９０°−他の傾斜角度に設定してある。この様に構成しておくと、最大傾斜角度の商品陳列棚２１と、他の傾斜角度の商品陳列棚２１とが混在しても、全ての棚仕切り板４６の前辺を略垂直にすることができる。
【００２７】
さらに、前側固定ガイド６１および後側固定ガイド７１は、磁石シート６４，７４で着脱自在に取り付けられているので、取り付け作業が簡単であるとともに、取り付け位置を簡単に変更することができる。また、固定ガイド６１，７１の支持部６２ｂ，７２ｂで、棚仕切り板４６を左右両側から挟持して保持しているので、商品陳列棚２１の傾斜角度を変更する際に固定ガイド６１，７１が妨げになることはない。
【００２８】
また、前側固定ガイド６１の係合ピン６２ｃが、前側の枠材３３のガイド孔４４に係合しているので、前側固定ガイド６１の配置位置が、移動することを防止することができる。
【００２９】
次に、本発明におけるショーケースの実施の第２の形態について図５ないし図８を用いて説明する。図５は実施の第２の形態のショーケースの断面図である。図６は棚仕切り板の側面図である。図７は陳列棚の側面図である。図８は図７の要部断面図で、（ａ）が図７の C-C断面図、（ｂ）が図７の D-D断面図である。なお、この第２の形態の説明において、前記実施の第１の形態の構成要素に対応する構成要素には同一符号を付して、その詳細な説明は省略する。
【００３０】
この実施の第２の形態においては、棚仕切り板４６の下側の前後の角部付近に各々、略円形の貫通孔７６，７７が形成されている。一方、固定ガイド６１，７１は、各々一個の略Ｌ字状のガイド片６２，７２で形成されている。そして、前ガイド片６２の支持部６２ｂには略円形の固定孔７８が形成され、また、後ガイド片７２の支持部７２ｂには長孔のガイド孔７９が形成されている。
【００３１】
この棚仕切り板４６の貫通孔７６および前側固定ガイド６１の固定孔７８に固定ピン８１を挿入して、棚仕切り板４６の前端部に前側固定ガイド６１が取り付けられている。また、棚仕切り板４６の貫通孔７７および後側固定ガイド７１のガイド孔７９にピン８２が挿入されている。すなわち、ピン８２は棚仕切り板４６に移動不能に設けられ、この棚仕切り板４６のピン８２が、後側固定ガイド７１のガイド孔７９に係合して、ガイド孔７９に沿ってスライドおよび回動可能となっている。そして、前述の実施の第１の形態と同様に、磁石シート６４，７４で、固定ガイド６１，７１は区画壁板１４または枠材３３に着脱自在に取り付けられている。
【００３２】
この様に、実施の第２の形態においては、固定ガイド６１，７１は、各々一個のガイド片６２，７２で形成され、棚仕切り板４６を片持ち支持している。したがって、固定ガイドを左右２個のガイド片で構成した場合よりも、ガイド片が一個で済むので、商品陳列棚２１の上方への突出が減少する。また、実施の第２の形態では、ピン８１，８２で、固定ガイド６１，７１と棚仕切り板４６とが連結している。したがって、実施の第１の形態の様に棚仕切り板４６が固定ガイド６１，７１の左右の支持部６２ｂ，７２ｂ間に嵌め込まれている場合よりも、棚仕切り板４６が上方に移動して外れることを確実に防止することができる。
【００３３】
また、商品陳列棚２１の傾斜角度の変更すなわち商品陳列棚２１の傾動に伴って、棚仕切り板４６は後側固定ガイド７１に対して移動している。ところで、この実施の第２の形態では、係合部材としてのピン８２を、棚傾動用ガイドであるガイド孔７９に沿ってスライドさせることにより、棚仕切り板４６を後側固定ガイド７１に対して移動させることができる。したがって、後側固定ガイド７１を棚仕切り板４６から取り外すことなく、すなわち、ピン８２とガイド孔７９との結合を解除しないで、商品陳列棚２１の傾動に対応することができる。
【００３４】
次に、本発明におけるショーケースの実施の第３の形態について図９および図１０を用いて説明する。図９は実施の第３の形態のショーケースの陳列棚の側面図である。図１０は図９の要部断面図で、（ａ）が図９の E-E断面図、（ｂ）が図９の F-F断面図である。なお、この第３の形態の説明において、前記実施の第１の形態おび実施の第２の形態の構成要素に対応する構成要素には同一符号を付して、その詳細な説明は省略する。
【００３５】
この実施の第３の形態においては、棚仕切り板４６の前側は、実施の第２の形態と同様にして、前側固定ガイド６１および固定ピン８１で取り付けられている。また、棚仕切り板４６の後端部には、実施の第２の形態と異なり、貫通孔７７が形成されていない。そして、棚仕切り板４６の後辺５４には、ステンレス板などの磁性を有する板材からなるコの字状の細長い固定部材８６が嵌め込まれて接着などにより固定されている。
【００３６】
後側固定ガイド７１は、左右の一対の後ガイド片７２からなり、この後ガイド片７２の取り付け部７２ａおよび支持部７２ｂに磁石シート８７が取り付けられている。そして、この磁石シート８７により、後ガイド片７２の取り付け部７２ａは区画壁板１４に、後ガイド片７２の支持部７２ｂは棚仕切り板４６の固定部材８６に磁気吸着で着脱自在に固定されている。
【００３７】
この様に、実施の第３の形態においては、磁石シート８７により、棚仕切り板４６と後側固定ガイド７１とが着脱自在に固定されている。したがって、実施の第１の形態の様に棚仕切り板４６が固定ガイド６１，７１の左右の支持部６２ｂ，７２ｂ間に単に嵌め込まれている場合よりも、棚仕切り板４６が上方などに移動して外れることを確実に防止することができる。
【００３８】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態において、固定ガイドと、区画壁板や枠材とは、磁石シートにより着脱自在に取り付けられているが、ビスなどにより着脱自在に取り付けることも可能である。そして、ビスなどで取り付ける場合には、固定ガイド、背面板や枠材は磁性を有している必要はない。また、固定ガイドと、背面板や枠材とが着脱自在に固定されているならば、固定ガイドと磁石シートとを接着剤などで固定することも可能である。なお、磁石シートで取り付けると、取り付け作業が簡単となるとともに、ビス孔などを背面板や枠材に必ずしも設ける必要がなく、見栄えが良好となる。
【００３９】
（２）棚仕切り板４６は、前辺５３と商品陳列棚２１の上面とのなす角度が、鋭角であるならば、その形状や材質などは適宜変更可能である。
（３）実施の形態においては、ショーケースは、冷蔵ショーケースや冷凍ショーケースなどの低温ショーケースであるが、温蔵ショーケースや温度調整されていないショーケースなどであることも可能である。
【００４０】
（４）実施の形態においては、前側固定ガイド６１には、係合ピン６２ｃが設けられているが、係合ピン６２ｃは必ずしも設ける必要はない。
【００４１】
（５）実施の第１の形態においては、固定ガイド６１，７１は、左右一対のガイド片の二部材で構成されているが、左右一対のガイド片を一体にして一部材で構成することも可能である。
（６）実施の第２の形態および実施の第３の形態においては、固定ガイド６１，７１と棚仕切り板４６とは、ピン８１，８２で連結されているが、ピン以外の手段たとえばボルトおよびナットで連結することも可能である。
【００４２】
（７）実施の第２の形態においては、棚仕切り板４６にピン８２が固定され、後側固定ガイド７１にガイド孔７９が形成されているが、棚仕切り板４６にガイド孔を形成し、後側固定ガイド７１にピン８２を固定することも可能である。
（８）実施の第３の形態においては、後側固定ガイド７１に磁石シート８７が、一方、棚仕切り板４６に磁性体としての固定部材８６が取り付けられ、磁石シート８７が固定部材８６に磁気吸着しているが、棚仕切り板４６に磁石シート８７を接着などで取り付けて、磁性を有する後側固定ガイド７１に磁気吸着させることも可能である。
【００４３】
【発明の効果】
本発明によれば、棚仕切り板は、前端部を保持する前側保持部材と後端部を保持する後側保持部材とで支持されているので、棚仕切り板の中央部には保持部材が設けられていない。したがって、商品の陳列効果の大きい中央部に、保持部材に妨げられずに、商品を陳列することができる。また、前側保持部材は、陳列棚の前端部に着脱自在に固定されており、前側保持部材の陳列棚への取り付け部の面積が小さくても転倒することが少ない。したがって、従来の様に、台座部を単に載置したものよりも、前側保持部材の取り付け部の面積を小さくすることができる。その結果、陳列棚の前側部分に、商品を多量に陳列することができ、購入者が商品を取りやすくなる。
【００４４】
しかも、後側保持部材が陳列室の背面板に着脱自在に固定されており、後側保持部材の取り付け部が陳列棚の上面にはないので、後側保持部材の背面板への取り付け部が商品の陳列の妨げになることが少ない。したがって、大きな後側保持部材を設けて、棚仕切り板を確実に保持することができる。また、陳列棚がガラス板などの加工の困難な材質で構成され、保持部材を陳列棚に取り付けにくい場合でも、保持部材を背面板に取り付けて、棚仕切り板を簡単に保持することができる。
【００４５】
さらに、後側保持部材が、磁石またはこの磁石に吸着される磁性体の一方を具備し、かつ、棚仕切り板が、磁石または磁性体の他方を具備しており、そして、棚仕切り板がこの磁石および磁性体により後側保持部材に保持されている場合には、棚仕切り板が後側保持部材から簡単に外れることを防止することができる。
【図面の簡単な説明】
【図１】  図１は実施の第１の形態のショーケースの断面図である。
【図２】  図２は陳列棚および棚仕切り板の説明図で、（ａ）が陳列棚の平面図で、（ｂ）が棚仕切り板の側面図である。
【図３】  図３は陳列棚の側面図である。
【図４】  図４は図３の要部断面図で、（ａ）が図３の A-A断面図、（ｂ）が図３の B-B断面図である。
【図５】  図５は実施の第２の形態のショーケースの断面図である。
【図６】  図６は棚仕切り板の側面図である。
【図７】  図７は陳列棚の側面図である。
【図８】  図８は図７の要部断面図で、（ａ）が図７の C-C断面図、（ｂ）が図７の D-D断面図である。
【図９】  図９は実施の第３の形態のショーケースの陳列棚の側面図である。
【図１０】  図１０は図９の要部断面図で、（ａ）が図９の E-E断面図、（ｂ）が図９の F-F断面図である。
【図１１】  図１１は従来の陳列棚の要部斜視図である。
【符号の説明】
１  低温オープンショーケース（ショーケース）
２  開口
１４  区画壁板（背面板）
１８  陳列室
２１  商品陳列棚
２６  エアーカーテン
４６  棚仕切り板
５３  前辺
６１  前側固定ガイド（前側保持部材）
７１  後側固定ガイド（後側保持部材）
７９  ガイド孔（棚傾動用ガイド）
８２  ピン（係合部材）
８６  固定部材（磁性体）
８７  磁石シート（磁石）
【図１】
0003738108.tif 000002
【図２】
0003738108.tif 000003
【図３】
0003738108.tif 000004
【図４】
0003738108.tif 000005
【図５】
0003738108.tif 000006
【図６】
0003738108.tif 000007
【図７】
0003738108.tif 000008
【図８】
0003738108.tif 000009
【図９】
0003738108.tif 000010
【図１０】
0003738108.tif 000011
【図１１】
0003738108.tif 000012